(57)【要約】      （修正有）【課題】ＭＢＳＦＮエリアがマルチセル／マルチキャスト協調エンティティＭＣＥの集合によって制御される移動ネットワークにおいて、ＭＢＳＦＮエリア再構成の整合性を保持するＭＣＥを提供する。【解決手段】ＭＭＥにＭＣＥ再構成更新情報を送信し、追加される任意のＳＡＩまたはＭＣＥから削除される任意のＳＡＩを通知し、ＭＢＳＦＮエリア再構成ごとにＭＣＥに追加される任意のＳＡＩでの任意のＭＢＭＳセッションのＭＢＭＳセッション開始要求および／または削除される任意のＳＡＩでの任意のＭＢＭＳセッションのＭＢＭＳセッション停止要求を、ＭＭＥから受信する。【選択図】図３
2018157570.tif 000002
【特許請求の範囲】
【請求項１】
ＭＢＳＦＮエリアがマルチセル／マルチキャスト協調エンティティＭＣＥの集合によって制御される移動ネットワークのＭＣＥであって、移動管理エンティティＭＭＥによって制御され、
−  前記ＭＢＳＦＮエリアの再構成が、前記ＭＣＥに構成される再構成時間と称される時間に、前記ＭＣＥで同期して適用されるＭＢＳＦＮエリア再構成手順を行うように構成された、ＭＣＥ。
【請求項２】
ＭＢＳＦＮエリアがマルチセル／マルチキャスト協調エンティティＭＣＥの集合によって制御される移動ネットワークのＭＣＥであって、移動管理エンティティＭＭＥによって制御され、
−  ＭＢＳＦＮエリア再構成を行うときに、前記ＭＭＥにＭＣＥ再構成更新情報を送信し、前記ＭＭＥにＭＣＥに追加される任意のＳＡＩまたはＭＣＥから削除される任意のＳＡＩを通知し、
−  前記ＭＢＳＦＮエリア再構成ごとにＭＣＥに追加される任意のＳＡＩでの任意のＭＢＭＳセッションのＭＢＭＳセッション開始要求および／または前記ＭＢＳＦＮエリア再構成ごとにＭＣＥから削除される任意のＳＡＩでの任意のＭＢＭＳセッションのＭＢＭＳセッション停止要求を、前記ＭＭＥから受信するように構成された、ＭＣＥ。
【請求項３】
−  前記ＭＣＥに構成されかつ前記ＭＢＳＦＮエリアの再構成が前記ＭＣＥで同期して適用されるべき再構成時間が発生すると、前記ＭＢＳＦＮエリアにおけるＭＢＭＳセッションをリスケジューリングし、もしあればＭＢＳＦＮエリアのために変更される無線パラメータを考慮し、前記ＭＢＳＦＮエリア再構成ごとに追加される任意のＳＡＩでの開始されるべきＭＢＭＳセッションを開始し、かつ前記ＭＢＳＦＮエリア再構成ごとに削除される任意のＳＡＩでの停止されるべきＭＢＭＳセッションを停止するように構成された、請求項１または２に記載のＭＣＥ。
【請求項４】
−  前記ＭＣＥに構成されかつ前記ＭＢＳＦＮエリアの再構成が前記ＭＣＥで同期して適用されるべき再構成時間の発生前に、前記ＭＢＳＦＮエリア再構成ごとにＭＣＥに追加される任意のＳＡＩを含めて前記ＭＭＥにＭＣＥ再構成更新情報を送信するように構成された、請求項１から３のいずれか一項に記載のＭＣＥ。
【請求項５】
−  前記ＭＣＥに構成されかつ前記ＭＢＳＦＮエリアの再構成が前記ＭＣＥで同期して適用されるべき再構成時間まで、前記ＭＢＳＦＮエリア再構成ごとにＭＣＥに追加される任意のＳＡＩでのＭＢＭＳセッション開始要求を介してＭＭＥによって開始されるように要求される任意のＭＢＭＳセッションの開始を延期するように構成された、請求項１から４のいずれか一項に記載のＭＣＥ。
【請求項６】
−  前記ＭＢＳＦＮエリア再構成ごとにＭＣＥに追加される任意のＳＡＩでのＭＢＭＳセッション開始要求を介してＭＭＥによって開始されるように要求される任意のＭＢＭＳセッションのためのＭＣＣＨ更新時間を決定するために、前記ＭＣＥに構成されかつ前記ＭＢＳＦＮエリアの再構成が前記ＭＣＥで同期して適用されるべき再構成時間を使用するように構成された、請求項１から５のいずれか一項に記載のＭＣＥ。
【請求項７】
−  前記ＭＣＥに構成されかつ前記ＭＢＳＦＮエリアの再構成が前記ＭＣＥで同期して適用されるべき再構成時間の発生後に、前記ＭＭＥにＭＣＥ再構成更新情報を送信して、前記ＭＭＥに前記ＭＢＳＦＮエリア再構成ごとに前記ＭＣＥがＭＣＥでサポートすることを停止した任意のＳＡＩを通知するように構成された、請求項１から６のいずれか一項に記載のＭＣＥ。
【請求項８】
−  ＭＭＥから対応するＭＢＭＳセッション停止要求を受信するまで、前記ＭＢＳＦＮエリア再構成ごとに削除される任意のＳＡＩでの任意のＭＢＭＳセッションのためのＭ３ＡＰインタフェース用のＭＢＭＳセッション制御資源を維持するように構成された、請求項１から７のいずれか一項に記載のＭＣＥ。
【請求項９】
−  前記ＭＢＳＦＮエリア再構成ごとに削除される任意のＳＡＩでの任意のＭＢＭＳセッションのためのＭ３ＡＰインタフェース用のＭＢＭＳセッション制御資源を維持し、かつ前記ＭＢＳＦＮエリア再構成ごとに削除される任意のＳＡＩでの任意のＭＢＭＳセッションが前記ＭＣＥによって制御される任意の他のＭＢＳＦＮエリアに関与されていないかどうかを確認し、肯定の場合は対応するＭＢＭＳセッション制御資源をローカルで解放するように構成された、請求項１から７のいずれか一項に記載のＭＣＥ。
【請求項１０】
−  前記ＭＣＥに構成されかつ前記ＭＢＳＦＮエリアの再構成が前記ＭＣＥで同期して適用されるべき再構成時間の発生前に、前記ＭＭＥにＭＣＥ再構成更新情報を送信して、前記ＭＭＥに前記ＭＢＳＦＮエリア再構成ごとにＭＣＥに追加またはＭＣＥから削除される任意のＳＡＩを前記再構成時間とともに通知するように構成された、請求項１から３のいずれか一項に記載のＭＣＥ。
【請求項１１】
−  前記ＭＢＳＦＮエリア再構成ごとにＭＣＥに追加される任意のＳＡＩでのＭＭＥによって開始されるように要求されるＭＢＭＳセッションのためのＭＣＣＨ更新時間を決定するために、ＭＭＥから受信されるＭＢＭＳセッション開始要求に示されるＭＣＥ再構成更新時間を使用するように構成された、請求項１０に記載のＭＣＥ。
【請求項１２】
ＭＢＳＦＮエリアがマルチセル／マルチキャスト協調エンティティＭＣＥの集合によって制御される移動ネットワークの移動管理ＭＭＥであって、前記ＭＣＥの少なくとも１つを制御し、
−  前記ＭＢＳＦＮエリア再構成ごとにＭＣＥに追加または削除される任意のＳＡＩを前記ＭＭＥに通知するＭＣＥ再構成情報を前記ＭＣＥから受信すると、前記ＭＣＥから受信されたＭＣＥ再構成情報におけるＭＣＥに追加される任意のＳＡＩでの任意のＭＢＭＳセッションのＭＢＭＳセッション開始要求および／または前記ＭＣＥから受信されたＭＣＥ再構成情報におけるＭＣＥから削除される任意のＳＡＩでの任意のＭＢＭＳセッションのＭＢＭＳセッション停止要求を、前記ＭＣＥに送信するように構成された、ＭＭＥ。
【請求項１３】
−  前記ＭＣＥから再構成時間を含むＭＣＥ再構成情報を受信するように構成された、請求項１２に記載のＭＭＥ。
【請求項１４】
−  前記ＭＣＥから受信されるＭＣＥ再構成情報におけるＭＣＥから削除される任意のＳＡＩでの任意のＭＢＭＳセッションに対して、前記再構成時間に設定されるＭＢＭＳデータ停止の時間情報要素を含むＭＢＭＳセッション停止要求を前記ＭＣＥに送信するように構成された、請求項１３に記載のＭＭＥ。
【請求項１５】
−  前記ＭＣＥから受信されるＭＣＥ再構成情報におけるＭＣＥから削除される任意のＳＡＩでの任意のＭＢＭＳセッションのためのＭ３ＡＰインタフェース用のＭＢＭＳセッション制御資源をローカルで解放するように構成された、請求項１２に記載のＭＭＥ。
【請求項１６】
−  前記ＭＣＥから受信されるＭＣＥ再構成情報におけるＭＣＥへの任意の追加ＳＡＩでの開始されるよう要求されるべきＭＢＭＳセッションに対して、ＭＣＥ再構成更新時間を示すＭＢＭＳセッション開始要求を前記ＭＣＥに送信するように構成された、請求項１３から１５のいずれか一項に記載のＭＭＥ。
【請求項１７】
ＭＢＳＦＮエリアがマルチセル／マルチキャスト協調エンティティＭＣＥの集合によって制御される移動ネットワークにおけるＭＢＳＦＮエリア再構成のための方法であって、前記ＭＢＳＦＮエリアの再構成が、前記ＭＣＥに構成される再構成時間と称される時間に、前記ＭＣＥで同期して適用されるＭＢＳＦＮエリア再構成手順を行うことを含む、方法。
【請求項１８】
ＭＢＳＦＮエリアがマルチセル／マルチキャスト協調エンティティＭＣＥの集合によって制御される移動ネットワークにおけるＭＢＳＦＮエリア再構成のための方法であって、請求項１から１１のいずれか一項に記載のＭＣＥ、または請求項１２から１６のいずれか一項に記載のＭＭＥによって行われるステップの少なくとも１つを備える方法。
【発明の詳細な説明】
【技術分野】
【０００１】
本発明は一般に移動通信ネットワークおよびシステムに関する。
【背景技術】
【０００２】
移動通信ネットワークおよびシステムの詳細な説明は文献に、特にたとえば３ＧＰＰ（第３世代パートナーシッププロジェクト）などの標準化団体によって発行される技術仕様書などに見られることができる。
【０００３】
一般に、移動通信システムにおいて、ユーザ機器ＵＥは移動通信ネットワークを介して移動サービスにアクセスする。
【０００４】
移動通信システムの例は３ＧＰＰによって規定されるＥＰＳ（進化型パケットシステム）である。
【０００５】
移動サービスの例はＭＢＭＳ（マルチメディアブロードキャスト／マルチキャストサ−ビス）である。ＭＢＭＳアーキテクチャの説明は、特にＥＰＳに対して、特に３ＧＰＰ  ＴＳ２３．２４６に見られることができる。ＥＰＳ用のＭＢＭＳはｅＭＢＭＳ（進化型ＭＢＭＳ）とも呼ばれる。ｅＭＢＭＳは、特に単一周波数ネットワーク（ＳＦＮ）動作モードなどの機能性のおかげで、改善された性能をもたらす。
【０００６】
それぞれ「集中ＭＣＥアーキテクチャ」および「分散ＭＣＥアーキテクチャ」と呼ばれる、ＭＢＳＦＮ動作モード用のｅＭＢＭＳアーキテクチャ配備のための２つの選択肢が、３ＧＰＰ  ＴＳ３６．３００から引用される図１に例示される。マルチセル／マルチキャスト協調エンティティ（ＭＣＥ）は、特にＭＢＳＦＮ伝送とも呼ばれる、ＭＢＳＦＮ（マルチメディアブロードキャストマルチキャストサ−ビス単一周波数ネットワーク）動作を使用するマルチセルＭＢＭＳ伝送のためのＭＢＦＳＮエリアにおけるすべてのｅＮＢによって使用される無線資源の受付制御および割当てを機能として含むＭＢＭＳ論理制御エンティティである。ｅＮＢとＭＣＥとの間に、３ＧＰＰ  ＴＳ３６．４４３に特に規定される、Ｍ２インタフェースと呼ばれる制御プレーンインタフェースが提供される。ＭＣＥとＭＭＥとの間に、３ＧＰＰ  ＴＳ３６．４４４に特に規定される、Ｍ３インタフェースと呼ばれる制御プレーンインタフェースが提供される。
【０００７】
ＭＢＳＦＮ動作モードは多くの利益、特に増加したネットワーク容量をもたらす。ＭＢＳＦＮはしかしながら、発明者らによって認識されるように、かつより詳細に説明されていくように、まだいくつかの面で改善される必要がある。特に、ネットワークオペレータが、ＭＢＭＳサービス配信を中断しなければならないことなく、かつとりわけ（ただし排他的にではなく）分散ＭＣＥアーキテクチャにおいて、前記ＭＢＳＦＮエリアを通してＭＢＭＳサービスの整合性を保持しつつ、ＭＢＳＦＮエリアを再構成することを可能にする必要がある。より一般に、そのようなシステム（ＥＰＳなど）におけるＭＢＭＳおよび／またはそのようなシステムによって提供されるＭＢＭＳベアラサービスのサポートを改善する必要がある。
【０００８】
本発明の実施形態は特にそのような必要性に対処する。
【発明の概要】
【課題を解決するための手段】
【０００９】
これらおよび他の目的は、１つの態様では、ＭＢＳＦＮエリアがマルチセル／マルチキャスト協調エンティティＭＣＥの集合によって制御される移動ネットワークにおけるＭＢＳＦＮエリア再構成のための方法であって：
−  前記ＭＢＳＦＮエリアの再構成が、前記ＭＣＥに構成される再構成時間と称される時間に、前記ＭＣＥで同期して適用されるＭＢＳＦＮエリア再構成手順を行うことを含む前記方法によって達成される。
【００１０】
これらおよび他の目的は、他の態様では、そのような方法を実行するように構成された移動ネットワークの様々な機能エンティティであって、特に（ただし排他的にではなく）マルチセル／マルチキャスト協調エンティティＭＣＥ、移動管理エンティティＭＭＥを含む前記エンティティによって達成される。
【００１１】
これらおよび他の目的は、別の態様では、ＭＢＳＦＮエリアがマルチセル／マルチキャスト協調エンティティＭＣＥの集合によって制御される移動ネットワークのＭＣＥであって：
−  前記ＭＢＳＦＮエリアの再構成が、前記ＭＣＥに構成される再構成時間と称される時間に、前記ＭＣＥで同期して適用されるＭＢＳＦＮエリア再構成手順を行うように構成された前記ＭＣＥによって達成される。
【００１２】
これらおよび他の目的は、別の態様では、ＭＢＳＦＮエリアがマルチセル／マルチキャスト協調エンティティＭＣＥの集合によって制御される移動ネットワークのＭＣＥであって、移動管理エンティティＭＭＥによって制御され：
−  ＭＢＳＦＮエリア再構成を行うときに、前記ＭＭＥにＭＣＥ再構成更新情報を送信し、前記ＭＭＥにＭＣＥに追加される任意のＳＡＩまたはＭＣＥから削除される任意のＳＡＩを通知し、
−  前記ＭＢＳＦＮエリア再構成ごとにＭＣＥに追加される任意のＳＡＩでの任意のＭＢＭＳセッションのＭＢＭＳセッション開始要求および／または前記ＭＢＳＦＮエリア再構成ごとにＭＣＥから削除される任意のＳＡＩでの任意のＭＢＭＳセッションのＭＢＭＳセッション停止要求を、前記ＭＭＥから受信するように構成された前記ＭＣＥによって達成される。
【００１３】
これらおよび他の目的は、別の態様では、ＭＢＳＦＮエリアがマルチセル／マルチキャスト協調エンティティＭＣＥの集合によって制御される移動ネットワークの移動管理ＭＭＥであって：
−  前記ＭＢＳＦＮエリア再構成ごとにＭＣＥに追加または削除される任意のＳＡＩを含むＭＣＥ再構成情報を前記ＭＣＥから受信すると、前記ＭＣＥから受信されたＭＣＥ再構成情報におけるＭＣＥに追加される任意のＳＡＩでの任意のＭＢＭＳセッションのＭＢＭＳセッション開始要求および／または前記ＭＣＥから受信されたＭＣＥ再構成情報におけるＭＣＥから削除される任意のＳＡＩでの任意のＭＢＭＳセッションのＭＢＭＳセッション停止要求を、前記ＭＣＥに送信するように構成された前記ＭＭＥによって達成される。
【００１４】
本発明の実施形態による装置および／または方法のいくつかの実施形態がここで、例としてのみ、かつ添付の図面を参照しつつ説明される。
【図面の簡単な説明】
【００１５】
【図１】ＥＰＳにおけるＭＢＭＳのためのアーキテクチャの２つの例を想起させるものと意図される図である。
【図２】移動ネットワークにおけるＭＢＳＦＮエリアのおよびＭＢＭＳサービスエリアの概念を、例に基づいて簡略化して例示するものと意図される図である。
【図３】ソリューション１／オプションＡと呼ばれる本発明の実施形態によるＭＢＳＦＮエリア再構成手順の概要を提供するものと意図される図である。
【図４】ソリューション１／オプションＢと呼ばれる本発明の実施形態によるＭＢＳＦＮエリア再構成手順の概要を提供するものと意図される図である。
【図５】ソリューション２／オプションＡと呼ばれる本発明の実施形態によるＭＢＳＦＮエリア再構成手順の概要を提供するものと意図される図である。
【図６】ソリューション２／オプションＢと呼ばれる本発明の実施形態によるＭＢＳＦＮエリア再構成手順の概要を提供するものと意図される図である。
【図７】ＭＣＥ開始または再開／ケース１と呼ばれる本発明の実施形態による、ＭＢＳＦＮエリア再構成手順とＭＣＥ開始または再開との間の相互作用の事例を簡略化した方法で例示するものと意図される図である。
【図８】ＭＣＥ開始または再開／ケース２と呼ばれる本発明の実施形態による、ＭＢＳＦＮエリア再構成手順とＭＣＥ開始または再開との間の相互作用の事例を簡略化した方法で例示するものと意図される図である。
【図９】Ｍ３パス故障／ケース１と呼ばれる本発明の実施形態による、ＭＢＳＦＮエリア再構成手順とＭ３パス故障後の回復との間の相互作用の事例を簡略化した方法で例示するものと意図される図である。
【図１０】Ｍ３パス故障／ケース２と呼ばれる本発明の実施形態による、ＭＢＳＦＮエリア再構成手順とＭ３パス故障後の回復との間の相互作用の事例を簡略化した方法で例示するものと意図される図である。
【発明を実施するための形態】
【００１６】
本発明の様々な実施形態および／または態様が以下に、ＥＰＳにおけるＭＢＭＳの例を通じてより詳述されていく。しかしながら、本発明はＥＰＳに限定されず、そしてＥＰＳ以外の３ＧＰＰシステムにおけるまたは３ＧＰＰ以外の標準化団体によって規定されるシステムにおけるマルチメディアブロードキャスト／マルチキャストサービスのサポートにも適用されることができることが理解されるべきである。
【００１７】
本発明の実施形態が以下に、分散ＭＣＥアーキテクチャの場合の例を通じてより詳述されていく。しかしながら、本発明はそのようなアーキテクチャに限定されないことが理解されるべきである。
【００１８】
ＬＴＥ用のＭＢＭＳは：
−  ＭＢＳＦＮ伝送を行う、すなわち厳密に同じ内容を同期して伝送することが可能であるｅＮＢの集合から成るＭＢＳＦＮエリア、
−  ＭＢＭＳセッションがブロードキャストされることができる基本的な地理的領域を定義するＭＢＭＳサービスエリア識別子、の概念に依存する。
【００１９】
ＭＭＥは、ＭＭＥでのローカルな供給によってかまたはＭＣＥ起動のＭ３設定手順を介してかのいずれかで、各ＭＣＥがサポートするサービスエリア識別子（ＳＡＩ）についての知識が供給される。
【００２０】
ＭＣＥはそれらが制御するＭＢＳＦＮエリアが供給される。各ＭＢＳＦＮエリアについて、オペレータはさらにＭＢＳＦＮエリアに関連づけられるＳＡＩをＭＣＥに供給する。
【００２１】
オペレータは、再構成されるエリアにおけるすべてのＭＢＭＳセッションを中断することなく自分のＭＢＳＦＮエリアを再構成することができるべきであり、詳細には：
−  現存のＭＢＳＦＮエリアに新しいサービスエリアを関連づける、
−  現存のＭＢＳＦＮエリアからサービスエリアを削除する、
−  ＭＢＳＦＮエリア全体に適用できる他のパラメータ（ＭＢＭＳに許可されるサブフレーム、たとえばｅＩＣＩＣのために予約されるサブフレーム（ＡＢＳサブフレーム）のためＭＢＭＳに禁じられるサブフレームなど）を修正する、
−  または上記動作の任意の組合せ。
【００２２】
そのような再構成はＭＢＳＦＮエリアにおいてスケジューリングされているＭＢＭＳセッションに影響を及ぼすことがあり、すなわち、
−  ＭＢＳＦＮエリアへの新しいＳＡの追加は、ＭＢＳＦＮエリアにおけるこれらのＳＡに分散されるＭＢＭＳセッションを開始することを必要とすることになり、
−  ＭＢＳＦＮエリアからのＳＡの削除は、このＭＢＳＦＮエリアにおける（これらのＳＡに分散される）ＭＢＭＳセッションを停止することを必要とすることになり、
−  上記動作のいずれかは、ＭＣＥにＭＢＳＦＮエリアにおけるすべてのＭＢＭＳセッションのＭＢＭＳ無線スケジューリングを更新させることになる場合がある。
【００２３】
ＭＢＭＳ無線スケジューリングの任意のそのような更新がＭＢＳＦＮエリアに参加しているすべてのＭＣＥによって同期してかつ一貫して行われることが、ＭＢＳＦＮエリア全体におけるすべてのＭＢＭＳサービスの整合性にとって不可欠である。これは特に分散ＭＣＥアーキテクチャをもつ配備にとって重要である。
【００２４】
そのような再構成がどのように処理されるべきかは現在未定義である。３ＧＰＰは３ＧＰＰ  Ｒｅｌ−１１においてＭ３ＡＰ  ＭＣＥ構成更新手順を定義したが、ＭＣＥおよびＭＭＥ挙動に関するさらなる詳細、またはＭＢＳＦＮエリアを通してＭＢＭＳサービスの整合性を維持する方法の指針、または再構成の結果として終了される必要があるＭＢＭＳセッションのためのＭ３ＡＰ資源を解放する方法の指針を提供してはいない。
【００２５】
今日、オペレータはＭＢＳＦＮエリア構成更新のオフライン変更を行うことができるだけである。これは、削除される／追加されるＳＡＩのいずれかが少なくとも１つの進行中のＭＢＭＳセッション配信に関与される場合、それらのＳＡＩを関与させるすべてのＭＢＭＳセッションのブロードキャストがまず再構成が起こることを可能にするために停止され、そして次いで一旦再構成が行われたならば再開されなければならないことを意味する。
【００２６】
本発明の実施形態は特にそのような欠点を回避することを可能にする。
【００２７】
本発明の実施形態は、ＭＢＳＦＮエリア再構成動作が、ＲＡＮ  Ｏ＆ＭによってすべてのＭＣＥに構成される−さらにＴｒｅｃｆｇとして言及される正確な時間に、ＭＢＳＦＮエリアを通してすべてのＭＣＥで同期して適用されると規定する。
【００２８】
第１の実施形態は以下のステップの一部または全部を備えてもよい。
【００２９】
再構成時間Ｔｒｅｃｆｇの発生前に（たとえば数分前に）、ＭＣＥは、Ｍ３ＡＰ  ＭＣＥ構成更新手順を使用して、ＭＭＥにそれがこれからサポートすることを開始する新しいＳＡについて通知する。これは、ＭＭＥがＭＣＥによってサポートされるＳＡＩについてのその知識を更新すること、かつおそらく必要に応じて、そのＭＣＥでの現存のＭＢＭＳセッションの分散を開始することを可能にする。ＭＢＳＦＮエリアに追加されているＳＡＩのＭＢＭＳセション開始要求を受信するＭＣＥは、ＭＢＳＦＮエリアにおけるそのＭＢＭＳセッションの開始を再構成の時間Ｔｒｅｃｆｇまで延期する。
【００３０】
時間Ｔｒｅｃｆｇの発生で、同じＭＢＳＦＮエリアに関連する各ＭＣＥは、追加または停止されるＳＡＩおよび再構成前に受信されたＭＢＭＳセッション開始要求を考慮して、ＭＢＳＦＮエリアにおいてスケジューリングされるべきＭＢＭＳセッションをリスケジューリングする。ＭＣＥは、関連するＭＢＳＦＮエリアにおいてもはやブロードキャストされる必要がないＭＢＭＳセッションをブロードキャストすることを停止する。ＭＣＥは、第１のオプション（Ａ）として、ＭＭＥから後にＭＢＭＳセッション停止を受信するまで関連したＭ３ＡＰ資源を維持することができるか、または代替オプション（Ｂ）は、ＭＣＥに、停止されるセッションがその制御下の任意の他のＭＢＳＦＮエリアにこれ以上関与されないことをそれ自体確認させ、そしてそれに、ＭＢＭＳセッション停止メッセージがＭＭＥから受信されることなくＭＢＭＳセッションコンテキスト自体をローカルで削除させる。
【００３１】
再構成（すなわちＴｒｅｃｆｇ）の発生後に、ＭＣＥは、Ｍ３ＡＰ  ＭＣＥ構成更新手順を使用して、ＭＭＥにそれが今サポートすることを停止したＳＡＩについて通知する。これは、ＭＭＥがＭＣＥによってもはやサポートされないＳＡＩについてのその知識を更新することを可能にする。ＭＢＭＳセッションが停止されることができることをＭＭＥが検出すれば、それは次いでＭＢＭＳセッション停止メッセージを送信する（オプションＡ）か、またはＭＢＭＳセッションコンテキストをローカルで即時に削除する（オプションＢ）ことができる。
【００３２】
第２の実施形態は以下のステップの一部または全部を備えてもよい。
【００３３】
ＭＣＥは、ＳＡＩが追加されるおよび／またはＳＡＩが削除される両方のケースに対して常に時間Ｔｒｅｃｆｇより前に、ＭＭＥにＭＣＥ構成更新メッセージを送信してもよい。それは、Ｍ３ＡＰ  ＭＣＥ構成更新メッセージ内の新しい「ＭＣＥ構成更新時間」ＩＥでＭＭＥに時間Ｔｒｅｃｆｇをシグナリングする。その場合、
−  削除されるＳＡＩとの関係でＭＢＭＳセッションが停止される必要があることをＭＭＥが検出するたびに、第１のオプション（Ａ）として、それはＭＢＭＳセッション停止メッセージを送信し、そしてそれは「ＭＢＭＳデータ停止の時間」ＩＥをＭＣＥ再構成の結果としてＭＣＥに送信されるそのＭＢＭＳセッション停止メッセージでの時間Ｔｒｅｃｆｇに設定するか、または代替オプション（Ｂ）は、ＭＭＥにこの時間Ｔｒｅｃｆｇの発生でＭ３ＡＰ資源をローカルで解放させる（ＭＣＥはセッションコンテキストをローカルで解放する）、
−  追加されるＳＡＩとの関係でＭＢＳＦＮエリアを制御しているＭＣＥにＭＢＭＳセッション開始メッセージが送信されなければならないことをＭＭＥが検出するたびに、ＭＭＥはＭＣＥから受信される時間Ｔｒｅｃｆｇに対応するＭＣＥ再構成の結果としてＭＣＥに送信されるＭＢＭＳセッション開始要求に新しい「ＭＣＥ構成更新時間」ＩＥを追加し、そしてそれは現存の「ＭＢＭＳデータ開始の時間」ＩＥに当初ＢＭ−ＳＣからセッション開始のために受信された開始時間を含める。
【００３４】
注：ＭＭＥはＢＭ−ＳＣから受信される「ＭＢＭＳデータ開始の時間」ＩＥを送信するものとするが、ＭＢＳＦＮエリアにおけるすべてのＭＢＭＳセッションの更新されたＭＢＭＳ無線スケジューリングを計算するためには、分散ＭＣＥアーキテクチャにおけるＭＣＥによってこれが使用されるためである。この新しい更新されたスケジューリングは、存在する場合新しい「ＭＣＥ構成更新時間」ＩＥに含まれる時間に、そうでなければ「ＭＢＭＳデータ開始の時間」に含まれる時間に起こる。
【００３５】
第２の実施形態は、ＳＡの同時追加および削除の再構成シナリオでＭ３ＡＰ  ＭＣＥ構成更新手順を１度だけ（第１の実施形態での２度の代わりに）トリガすることを許容する。それはしかしながらＭ３ＡＰインタフェースへのより多くの影響を必要とする。
【００３６】
第１の実施形態は、以下「ソリューション−１」（「オプションＡ」および「オプションＢ」と呼ばれる２つのオプションを有する）と記載される以下のステップの一部または全部を備えてもよい。「ソリューション１／オプションＡ」の概要が図３に示される。「ソリューション１／オプションＢ」の概要が図４に示される。
【００３７】
ソリューション−１
○  オペレータは、ＲＡＮ  Ｏ＆Ｍによって、ＭｂｓｆｎＡｒｅａ構成の更新がどの時間に適用されるべきかを指示する：
オペレータは、ＭｂｓｆｎＡｒｅａ構成の更新がどの絶対時間に適用されるべきかを示すパラメータＴｒｅｃｆｇ（たとえばＵＴＣ時間として表される）を設定する（１つまたはいくつかのＭｂｓｆｎＡｒｅａパラメータが同じ絶対時間に更新されなければならなくてもよい）。
【００３８】
この工程はＭｂｓｆｎＡｒｅａごとである、すなわちオペレータは、各々が異なるＭｂｓｆｎＡｒｅａに関するいくつかのＭｂｓｆｎＡｒｅａ構成更新を同時に（何の制約もなしで）開始するのを許容される、
いくつかの延期されたＭｂｓｆｎＡｒｅａ構成更新が、また同じＭｂｓｆｎＡｒｅａに同時にスケジューリングされてもよい。ＭＣＥは、スケジューリングされた更新の集合が、ＬＴＥ無線インタフェースによってサポートされることができるものより高い頻度で（それはＭｂｓｆｎＡｒｅａのために構成されるＭＣＣＨ変更期間の値に主として依存する）セル構成更新を適用するようにならないことを確実にする。
【００３９】
○  １つまたは複数のＳＡＩがＭｂｓｆｎＡｒｅａに追加される場合
ＭＣＥが、追加されるＳＡＩがそれが制御する他のＭｂｓｆｎＡｒｅａに対してまだ構成されていないと決定すれば、ＭＣＥはそのＳＡＩのリストを更新し、そしてこの更新したリストをＭＣＥ構成更新手順を介してＭＭＥに提供する。ＭＭＥは更新（ＳＡ拡張）について、Ｔｒｅｃｆｇに示される絶対時間前のいつかの時間に＊通知されなければならない。
【００４０】
（＊）必要であれば、再構成が適用される（Ｔｒｅｃｆｇ）前に現存のＭＢＭＳセッションをそのＭＣＥで開始するのに十分な時間をＭＭＥに与えるために、ＭＭＥは十分早く通知されなければならない。これはまた、（必要であれば）ＭＢＭＳトラフィック増加によって影響されるセルの円滑なオフロードを可能にするのに十分早くｅＮＢが通知されるのを可能にする。
【００４１】
注：ＳＡＩがＭＣＥによってすでに別のＭＢＳＦＮエリアに対してサポートされている（すなわちＭＣＥのＳＡＩリストが影響されない）場合、ＭＢＳＦＮエリアのＳＡＩリストの更新はＭＭＥを更新する必要性をもたらさない。
【００４２】
ＭＭＥは新しいＭＣＥ  ＳＡＩリストをそのコンテキストに格納し、そしてメッセージＭＣＥ構成更新Ａｃｋの使用を介してＭＣＥに応答する。
【００４３】
次いで、ＭＭＥはいくつかのセッションがこのＭＣＥで開始されるべきかどうかを確認する。
【００４４】
開始されるべき各ＭＢＭＳセッションに対して、ＭＭＥはそのＭＣＥに向けてＭＢＭＳセッション開始手順を起動する。
【００４５】
任意の以降のＭＢＭＳセッション開始要求メッセージを受信すると、ＭＣＥはこの要求がＭＢＳＦＮエリアにおいてすでにアクティブ化されているＳＡまたはＴｒｅｃｆｇにアクティブ化されるようにスケジューリングされているＳＡに対応するかどうかを確認する。後者の場合、すなわちＭＢＭＳセッションがＭＢＳＦＮエリアに追加されているＳＡに適用され、かつＭＢＳＦＮエリアですでに使用中のＭＣＥ  ＳＡＩリストからの任意の他のＳＡを含まなければ、ＭＣＥはセッションの開始を再構成が適用される（Ｔｒｅｃｆｇ）まで延期する。
【００４６】
注：ＭＢＭＳセッション開始要求メッセージはＢＭ−ＳＣによって提供される時間、そしてしたがって、おそらく過去の開始する絶対時間を含むべきである。
【００４７】
それがＭＣＥ構成更新のためトリガされたかもしれない要求であれば、ＭＣＥはＴｒｅｃｆｇに示される絶対時間に基づいてこの新しいセッションに対するＭｃｃｈＵｐｄａｔｅＴｉｍｅを決定する。
【００４８】
そうでなければ、ＭＣＥはＩＥ「ＭＢＭＳデータ転送の時間」に示されるＵＴＣ時間に基づいてＭｃｃｈＵｐｄａｔｅＴｉｍｅを決定する。
【００４９】
ＭＣＥは、対象ＭｃｃｈＵｐｄａｔｅＴｉｍｅに対してＭｂｓｆｎＡｒｅａのすべてのＭＢＭＳセッション（現存のおよび開始されるべき新しいセッション）のＭＢＭＳ無線スケジューリングを再計算する。
【００５０】
○  １つまたは複数のＳＡＩがＭｂｓｆｎＡｒｅａから削除される場合
ＭＣＥは、いくつかのセッションが時間ＴｒｅｃｆｇにこのＭｂｓｆｎＡｒｅａにおいて停止されるべきかどうかを確認する。
【００５１】
少なくとも１つのセッションがこのＭｂｓｆｎＡｒｅａにおいて停止されるべきであれば、
ＭＣＥはＴｒｅｃｆｇに示される時間に基づいてＭｃｃｈＵｐｄａｔｅＴｉｍｅを決定し、
ＭＣＥは次いで、再構成後のＭｂｓｆｎＡｒｅａのすべての残存のセッションのＭＢＭＳ無線スケジューリング、すなわちいずれがＭｃｃｈＵｐｄａｔｅＴｉｍｅで適用できるかを再計算する。
【００５２】
ＭＣＥが、削除されるＳＡＩがＭＣＥによって制御される他のＭｂｓｆｎＡｒｅａに対して構成されていないと決定すれば、ＭＣＥはそのＳＡＩのリストからＳＡＩを削除し、そしてＴｒｅｃｆｇの発生でまたはその後に、この更新したリストをＭＣＥ構成更新手順を介してＭＭＥに提供する。
【００５３】
注：削除すべきＳＡＩがＭＣＥで別のＭＢＳＦＮエリアに対して構成され続ける（すなわちＭＣＥのＳＡＩリストが影響されない）場合、ＭＢＳＦＮエリアのＳＡＩリストの更新はＭＭＥを更新する必要性をもたらさない。
【００５４】
このメッセージを受領すると、ＭＭＥは、いくつかのセッションがこのＭＣＥで停止されるべきかどうかを確認する。
【００５５】
そのＭＣＥで停止すべき各ＭＢＭＳセッションに対して、ＭＭＥは、ＭＣＥおよびＭＭＥにおいて関連したＭ３ＡＰ資源を解放する（オプションＡ）または単にそのＭ３ＡＰ資源をローカルでかつ即時に解放する（オプションＢ）ために、ＭＢＭＳセッション停止手順を起動し、
各受信されるＭＢＭＳセッション停止要求メッセージに対して（オプションＡ）、ＭＣＥはＭＭＥにＭＢＭＳセッション停止応答メッセージで応答し、そして関連したＭ３ＡＰ資源を解放する：ＭＣＥはそのＭ３ＡＰ資源をローカルで解放する（オプションＢ）。
【００５６】
オプションＢはＭ３インタフェース上のメッセージの交換を最小化することを可能にする。
【００５７】
○  １つまたは複数のＳＡＩがＭｂｓｆｎＡｒｅａから削除され、かつ１つまたは複数のＳＡＩが同じＭｂｓｆｎＡｒｅａに追加されもする場合
ＭＣＥおよびＭＭＥはＳＡ拡張の場合およびＳＡ削除の場合について上記規定したようにふるまう。これはＭＣＥに、Ｔｒｅｃｆｇ前にＳＡＩを追加するＭＣＥ構成更新を、そしてＴｒｅｃｆｇにまたはその後にＳＡＩを削除する別のＭＣＥ構成更新を送信させる。
【００５８】
再構成動作がＳＡを追加も削除もせず、ＭＢＳＦＮエリア全体に適用できる他のパラメータを変更するだけであれば、各ＭＣＥはその再構成を時間Ｔｒｅｃｆｇに適用する。この場合ＭＭＥに向けてＭＣＥ構成更新手順は起こらない。
【００５９】
第２の実施形態は、以下「ソリューション−２」（「オプションＡ」および「オプションＢ」と呼ばれる２つのオプションを有する）と記載される以下のステップの一部または全部を備えてもよい。「ソリューション２／オプションＡ」の概要が図５に示される。「ソリューション２／オプションＢ」の概要が図６に示される。
【００６０】
ソリューション−２
○  オペレータはＭｂｓｆｎＡｒｅａ構成の更新がどの時間に適用されるべきかを指示する。
ソリューション−１と同様。
【００６１】
○  １つまたは複数のＳＡＩがＭｂｓｆｎＡｒｅａから削除される場合、
ＭＣＥが、削除されるＳＡＩがＭＣＥによって制御される他のＭｂｓｆｎＡｒｅａに対して構成されていないと決定すれば、ＭＣＥはそのＳＡＩのリストからＳＡＩを削除し、そしてこの更新したリストおよび新しい「ＭＣＥＣｏｎｆｉｇｕｒａｔｉｏｎＵｐｄａｔｅＴｉｍｅ」ＩＥ（Ｔｒｅｃｆｇに設定される）をＭＣＥ構成更新手順を介してＭＭＥに提供する。ＭＭＥは更新について、「ＭＣＥＣｏｎｆｉｇｕｒａｔｉｏｎＵｐｄａｔｅＴｉｍｅ」ＩＥに示される絶対時間前のいつかの時間に＊通知されなければならない。
【００６２】
（＊）もしあれば、再構成が適用される（Ｔｒｅｃｆｇ）前に、ＳＡＩ削除によって影響されるＭＢＭＳセッションをそのＭＣＥで停止するのに十分な時間をＭＭＥに与えるために、ＭＭＥは十分早く通知されなければならない。防御措置として、ＭＣＥは、セッション停止が近々受信されるだろう場合に、Ｔｒｅｃｆｇに基づいて決定されるＭＣＣＨ更新時間に停止されるべきセッションのための資源をどうにかして解放することになる。
【００６３】
そのＭＣＥで停止すべき各ＭＢＭＳセッションに対して、ＭＭＥは、ＭＣＥおよびＭＭＥにおいて関連したＭ３ＡＰ資源を解放する（オプションＡ）または再構成時間Ｔｒｅｃｆｇの発生で単にそのＭ３ＡＰ資源をローカルで解放する（オプションＢ）ために、ＭＢＭＳセッション停止手順を（ＩＥ「ＭＢＭＳデータ停止の時間」をＭＣＥ構成更新メッセージの「ＭＣＥＣｏｎｆｉｇｕｒａｔｉｏｎＵｐｄａｔｅＴｉｍｅ」ＩＥで先に受信された時間に設定して）起動する。
【００６４】
各受信されるＭＢＭＳセッション停止要求メッセージに対して（オプションＡ）、ＭＣＥはセッション停止を通常通り＊処理する：ＭＣＥはそのＭ３ＡＰ資源をローカルで解放する（オプションＢ）。
【００６５】
（＊）ＭＢＭＳセッション停止要求メッセージがＴｒｅｃｆｇより後に受信される場合、唯一のＭＣＥのアクションはＭ３ＡＰ資源およびセッションコンテキストを解放しかつＭＭＥに肯定的に応答することになる。
【００６６】
オプションＢはＭ３インタフェース上のメッセージ交換のさらなる最小化を可能にする。
【００６７】
○  １つまたは複数のＳＡＩがＭｂｓｆｎＡｒｅａに追加される場合、
ＭＣＥが、追加されるＳＡＩがそれが制御する他のＭｂｓｆｎＡｒｅａに対してまだ構成されていないと決定すれば、ＭＣＥはそのＳＡＩのリストを更新し、そしてこの更新したリストおよび新しい「ＭＣＥＣｏｎｆｉｇｕｒａｔｉｏｎＵｐｄａｔｅＴｉｍｅ」ＩＥ（Ｔｒｅｃｆｇに設定される）をＭＣＥ構成更新手順を介してＭＭＥに提供する。ＭＭＥは更新（ＳＡ拡張）について、Ｔｒｅｃｆｇに示される絶対時間前のいつかの時間に＊通知されなければならない。
【００６８】
（＊）必要であれば、再構成が適用される（Ｔｒｅｃｆｇ）前に現存のＭＢＭＳセッションをそのＭＣＥで開始するのに十分な時間をＭＭＥに与えるために、ＭＭＥは十分早く通知されなければならない。これはまた、（必要であれば）ＭＢＭＳトラフィック増加によって影響されるセルの円滑なオフロードを可能にするのに十分早くｅＮＢが通知されるのを可能にする。
【００６９】
ＭＭＥは新しいＭＣＥ  ＳＡＩリストをそのコンテキストに格納し、そしてメッセージＭＣＥ構成更新Ａｃｋの使用を介してＭＣＥに応答する。
【００７０】
次いで、ＭＭＥはいくつかのセッションがこのＭＣＥで開始されるべきかどうかを確認する。
【００７１】
開始されるべき各ＭＢＭＳセッションに対して、ＭＭＥはそのＭＣＥに向けてＭＢＭＳセッション開始手順を起動する（ＭＭＥは、ＭＣＥ構成更新メッセージの「ＭＣＥＣｏｎｆｉｇｕｒａｔｉｏｎＵｐｄａｔｅＴｉｍｅ」ＩＥで先に受信された時間に設定されるＭＢＭＳセッション開始メッセージの新しい「ＭＣＥＣｏｎｆｉｇｕｒａｔｉｏｎＵｐｄａｔｅＴｉｍｅ」ＩＥを含む）。
【００７２】
ＭＢＭＳセッション開始要求メッセージを受信すると、ＭＣＥは、それがＭｃｃｈＵｐｄａｔｅＴｉｍｅを決定するために新しいＭ３ＡＰ「ＭＣＥＣｏｎｆｉｇｕｒａｔｉｏｎＵｐｄａｔｅＴｉｍｅ」ＩＥに示される時間を使用しなければならないということを除いて、セション開始を通常通り処理する。
【００７３】
注：ＩＥ「ＭＢＭＳデータ開始の時間」は、ＭｂｓｆｎＡｒｅａのすべての残存のセッションのＭＢＭＳ無線スケジューリングを再計算するときにセッション順位を決定するために依然使用される。
【００７４】
○  １つまたは複数のＳＡＩがＭｂｓｆｎＡｒｅａから削除され、かつ１つまたは複数のＳＡＩが同じＭｂｓｆｎＡｒｅａに追加されもする場合
ＭＣＥおよびＭＭＥはＳＡ拡張の場合およびＳＡ削除の場合について上記規定したようにふるまう。
【００７５】
○  再構成動作がＳＡを追加も削除もせず、ＭＢＳＦＮエリア全体に適用できる他のパラメータを変更するだけである場合：
ソリューション−１と同様。
【００７６】
上記のように、第２の実施形態は、ＳＡの同時追加および削除の再構成シナリオでＭ３ＡＰ  ＭＣＥ構成更新手順を１度だけ（第１の実施形態での２度の代わりに）トリガすることを許容する。それはしかしながらＭ３ＡＰインタフェースへのより多くの影響を必要とする。
【００７７】
オプションＢ（いずれの実施形態においても）は、オプションＡと比べて、Ｍ３インタフェース上のメッセージの交換を最小化することを可能にする。
【００７８】
そのようなＭＢＳＦＮエリア再構成工程のための他の実施形態がもちろん、当業者によって理解されるように、Ｍ３インタフェースへの様々な影響ならびに／またはＭＣＥおよび／もしくはＭＭＥへの様々な影響を伴って想定されることができよう。
【００７９】
そのようなＭＢＳＦＮエリア再構成工程は、ここで図７から１０に関連して説明されていくように、ＭＣＥ開始もしくは再開の場合に、またはＭ３パス故障後の回復の場合にも使用されることできる。そのような場合、ＭＢＳＦＮエリア再構成工程のいくつかの変更が、上記考慮された実施形態（たとえば図３から６に関連して）と比べて、そのような場合に使用されるＭ３設定手順または修復手順などの手順との相互作用により必要とされてもよい。
【００８０】
ＭＢＳＦＮエリア再構成とＭＣＥ開始または再開との間の相互作用の例が図７および８に簡略化した方法で例示される。
【００８１】
ＭＢＳＦＮエリア再構成とＭ３パス故障後の回復との間の相互作用の例が図９および１０に簡略化した方法で例示される。
【００８２】
Ｔｒｅｃｆｇは延期された構成更新が適用されるべき目標ＵＴＣ時間である（Ｔｒｅｃｆｇは、更新されるべきＭｂｓｆｎエリア構成パラメータとともに専用のパラメータを介して指示される）。
【００８３】
ＭＣＥが開始（再開）するときに、またはＭ３ＡＰパスが回復するときに、Ｔｒｅｃｆｇがすでに過去であるか、または極めて現在時刻に近いことが起きてもよい（たとえば延期された構成がＭＣＥによって受信された時間後のＭＣＥ障害のため）。図８および１０は、ＭＣＥがそのような場合に、とりわけＭＭＥに関してどのようにふるまうべきかを例示する。
【００８４】
「十分に未来であるＴｒｅｃｆｇケース」−ケース１（図７および９）
このケースは、ｅＮＢ／ＭＣＥ開始／再開が完了される時間またはＭ３パスが回復する時間と比べてＴｒｅｃｆｇが十分はるかに未来であるときに、ＭＣＥがＭＣＥ開始／再開またはＭ３パス回復のどちらかの後にどのようにふるまうべきかを例示する。
【００８５】
「十分に未来でないＴｒｅｃｆｇケース」−ケース２（図８および１０）
このケースは、ｅＮＢ／ＭＣＥ開始／再開が完了される時間またはＭ３パスが回復する時間と比べてＴｒｅｃｆｇが十分はるかに未来でないときに、ＭＣＥがＭＣＥ開始／再開またはＭ３パス回復のどちらかの後にどのようにふるまうべきかを例示する。
【００８６】
図７および８に例示される工程は、ＭＣＥをＭＢＳＦＮエリア再構成情報および関連したＴｒｅｃｆｇで構成し、ＭＣＥとＭＭＥとの間にＳＣＴＰアソシエーションを確立し（ＭＣＥが開始または再開した後で）、そしてＴｒｅｃｆｇがまだ十分に未来であるかどうかを確認することで始まる。
【００８７】
Ｔｒｅｃｆｇが十分に未来であれば、図７に示すように、工程はＭ３設定手順を続け、それによってＭＭＥは、Ｔｒｅｃｆｇまで適用されるべきＭＢＭＳサービスエリアリストを通知される。工程は次いで回復手順を続け、それによってＭＢＭＳセッション開始メッセージがＭ３設定手順によってトリガされ取り扱かわれる。次いで、Ｔｒｅｃｆｇ−微小時間に、あたかもＭＣＥが開始または再開したばかりではないかのように、工程は上記考慮された実施形態（たとえば図３から６に関連して）でのように続く。
【００８８】
Ｔｒｅｃｆｇが十分に未来でなければ、図８に示すように、工程はＭ３設定手順を行うためにＴｒｅｃｆｇ−微小時間まで待機し続け（Ｔｒｅｃｆｇ−微小時間が過去でなければ）、それによってＭＭＥはＭＢＭＳサービスエリアリストを通知される。あたかもＭＣＥが、ＭＣＥ構成更新がない以外は、開始または再開したばかりではないかのように、工程は次いで上記考慮された実施形態（たとえば図３から６に関連して）でのように続く。
【００８９】
図９および１０に例示される工程は、ＭＣＥをＭＢＳＦＮエリア再構成情報および関連したＴｒｅｃｆｇで構成し、ＭＣＥとＭＭＥとの間にＳＣＴＰアソシエーションを再確立し（Ｍ３パス故障が回復した後で）、そしてＴｒｅｃｆｇがまだ十分に未来であるかどうかを確認することで始まる。
【００９０】
Ｔｒｅｃｆｇが十分に未来であれば、図９に示すように、工程はＭ３設定手順を続け、それによってＭＭＥは、Ｔｒｅｃｆｇまで適用されるべきＭＢＭＳサービスエリアリストを通知される。工程は次いで回復手順を続け、それによってＭＢＭＳセッション開始メッセージがＭ３設定手順によってトリガされ取り扱われる。次いで、Ｔｒｅｃｆｇ−微小時間に、あたかもＭ３パス故障が生じなかったかのように、工程は上記考慮された実施形態（たとえば図３から６に関連して）でのように続く。
【００９１】
Ｔｒｅｃｆｇが十分に未来でなければ、図１０に示すように、工程はＭ３設定手順を行うためにＴｒｅｃｆｇ−微小時間まで待機し続け（Ｔｒｅｃｆｇ−微小時間が過去でなければ）、それによってＭＭＥはＭＢＭＳサービスエリアリストを通知される。ＭＣＥ構成更新がない以外は、あたかもＭ３パス故障が生じなかったかのように、工程は次いで上記考慮された実施形態（たとえば図３から６に関連して）でのように続く。
【００９２】
本発明の実施形態は、オペレータが、進行中のＭＢＭＳセッションのブロードキャストを中断することなくそのＭＢＳＦＮエリアを動的に再構成する（たとえばＭＢＳＦＮエリアに／からＭＢＭＳ  ＳＡを追加または削除する）ことを可能にする。これは特に、ＭＢＳＦＮエリアを通した（分散ＭＣＥアーキテクチャをもつＭＢＭＳ配備のためのＭＣＥにわたる）ＭＢＳＦＮエリア再構成および影響されたＭＢＭＳセッションの開始／停止の厳格な同期を確実にする。
【００９３】
オペレータがそのＭＢＳＦＮエリアを再構成（たとえば、ＭＢＳＦＮエリアに／からＭＢＭＳ  ＳＡを追加または削除する）したいときはいつでも、彼は進行中のＭＢＭＳセッションの終了を待つ必要またはそれらのセッションを中断する必要なく、それを行うことができる。これは、めったに停止または中断されるとは想定されない長期または永久セッション（たとえばテレビ放送）のために特に有用である。
【００９４】
１つの態様では、ＭＢＳＦＮエリアがマルチセル／マルチキャスト協調エンティティＭＣＥの集合によって制御される移動ネットワークにおけるＭＢＳＦＮエリア再構成のための方法が提供される。
【００９５】
一実施形態において、前記方法は：
−  前記ＭＢＳＦＮエリアの再構成が、前記ＭＣＥに構成される再構成時間と称される時間に、前記ＭＣＥで同期して適用されるＭＢＳＦＮエリア再構成手順を行うことを含む。
【００９６】
他の態様において、移動ネットワークの様々なエンティティがそのような方法を実行する目的で提供され、前記エンティティが、特に（ただし排他的にではなく）マルチセル／マルチキャスト協調エンティティＭＣＥ、移動管理エンティティＭＭＥを含む。
【００９７】
１つの態様において、ＭＢＳＦＮエリアがマルチセル／マルチキャスト協調エンティティＭＣＥの集合によって制御される移動ネットワークのＭＣＥであって、移動管理エンティティＭＭＥによって制御される前記ＭＣＥが提供される。
【００９８】
様々な態様／実施形態がそのようなＭＣＥのために提供されてもよい。
【００９９】
一態様において、前記ＭＣＥは：
−  前記ＭＢＳＦＮエリアの再構成が、前記ＭＣＥに構成される再構成時間と称される時間に、前記ＭＣＥで同期して適用されるＭＢＳＦＮエリア再構成手順を行うように構成される。
【０１００】
別の態様において、前記ＭＣＥは：
−  ＭＢＳＦＮエリア再構成を行うときに、前記ＭＭＥにＭＣＥ再構成更新情報を送信し、前記ＭＭＥにＭＣＥに追加される任意のＳＡＩまたはＭＣＥから削除される任意のＳＡＩを通知し、
−  前記ＭＢＳＦＮエリア再構成ごとにＭＣＥに追加される任意のＳＡＩでの任意のＭＢＭＳセッションのＭＢＭＳセッション開始要求および／または前記ＭＢＳＦＮエリア再構成ごとにＭＣＥから削除される任意のＳＡＩでの任意のＭＢＭＳセッションのＭＢＭＳセッション停止要求を、前記ＭＭＥから受信するように構成される。
【０１０１】
様々な実施形態がそのようなＭＣＥのそのような態様のために提供されてもよく、それらは様々な組合せによって単独あるいは併用で使用されてもよい。
【０１０２】
一実施形態において、ＭＣＥは：
−  前記ＭＣＥに構成されかつ前記ＭＢＳＦＮエリアの再構成が前記ＭＣＥで同期して適用されるべき再構成時間が発生すると、前記ＭＢＳＦＮエリアにおけるＭＢＭＳセッションをリスケジューリングし、もしあればＭＢＳＦＮエリアのために変更される無線パラメータを考慮し、前記ＭＢＳＦＮエリア再構成ごとに追加される任意のＳＡＩでの開始されるべきＭＢＭＳセッションを開始し、かつ前記ＭＢＳＦＮエリア再構成ごとに削除される任意のＳＡＩでの停止されるべきＭＢＭＳセッションを停止するように構成される。
【０１０３】
一実施形態において、ＭＣＥは：
−  前記ＭＣＥに構成されかつ前記ＭＢＳＦＮエリアの再構成が前記ＭＣＥで同期して適用されるべき再構成時間の発生前に、前記ＭＢＳＦＮエリア再構成ごとにＭＣＥに追加される任意のＳＡＩを含めて前記ＭＭＥにＭＣＥ再構成更新情報を送信するように構成される。
【０１０４】
一実施形態において、ＭＣＥは：
−  前記ＭＣＥに構成されかつ前記ＭＢＳＦＮエリアの再構成が前記ＭＣＥで同期して適用されるべき再構成時間まで、前記ＭＢＳＦＮエリア再構成ごとにＭＣＥに追加される任意のＳＡＩでのＭＢＭＳセッション開始要求を介してＭＭＥによって開始されるように要求される任意のＭＢＭＳセッションの開始を延期するように構成される。
【０１０５】
一実施形態において、ＭＣＥは：
−  前記ＭＢＳＦＮエリア再構成ごとにＭＣＥに追加される任意のＳＡＩでのＭＢＭＳセッション開始要求を介してＭＭＥによって開始されるように要求される任意のＭＢＭＳセッションのためのＭＣＣＨ更新時間を決定するために、前記ＭＣＥに構成されかつ前記ＭＢＳＦＮエリアの再構成が前記ＭＣＥで同期して適用されるべき再構成時間を使用するように構成される。
【０１０６】
一実施形態において、ＭＣＥは：
−  前記ＭＣＥに構成されかつ前記ＭＢＳＦＮエリアの再構成が前記ＭＣＥで同期して適用されるべき再構成時間の発生後に、前記ＭＭＥにＭＣＥ再構成更新情報を送信して、前記ＭＭＥに前記ＭＢＳＦＮエリア再構成ごとに前記ＭＣＥがＭＣＥでサポートすることを停止した任意のＳＡＩを通知するように構成される。
【０１０７】
一実施形態において、ＭＣＥは：
−  ＭＭＥから対応するＭＢＭＳセッション停止要求を受信するまで、前記ＭＢＳＦＮエリア再構成ごとに削除される任意のＳＡＩでの任意のＭＢＭＳセッションのためのＭ３ＡＰインタフェース用のＭＢＭＳセッション制御資源を維持するように構成される。
【０１０８】
一実施形態において、ＭＣＥは：
−  前記ＭＢＳＦＮエリア再構成ごとに削除される任意のＳＡＩでの任意のＭＢＭＳセッションのためのＭ３ＡＰインタフェース用のＭＢＭＳセッション制御資源を維持し、かつ前記ＭＢＳＦＮエリア再構成ごとに削除される任意のＳＡＩでの任意のＭＢＭＳセッションが前記ＭＣＥによって制御される任意の他のＭＢＳＦＮエリアに関与されていないかどうかを確認し、肯定の場合は対応するＭＢＭＳセッション制御資源をローカルで解放するように構成される。
【０１０９】
一実施形態において、ＭＣＥは：
−  前記ＭＣＥに構成されかつ前記ＭＢＳＦＮエリアの再構成が前記ＭＣＥで同期して適用されるべき再構成時間の発生前に、前記ＭＭＥにＭＣＥ再構成更新情報を送信して、前記ＭＭＥに前記ＭＢＳＦＮエリア再構成ごとにＭＣＥに追加またはＭＣＥから削除される任意のＳＡＩを前記再構成時間とともに通知するように構成される。
【０１１０】
一実施形態において、ＭＣＥは：
−  前記ＭＢＳＦＮエリア再構成ごとにＭＣＥに追加される任意のＳＡＩでのＭＭＥによって開始されるように要求されるＭＢＭＳセッションのためのＭＣＣＨ更新時間を決定するために、ＭＭＥから受信されるＭＢＭＳセッション開始要求に示されるＭＣＥ再構成更新時間を使用するように構成される。
【０１１１】
別の態様において、ＭＢＳＦＮエリアがマルチセル／マルチキャスト協調エンティティＭＣＥの集合によって制御される移動ネットワークの移動管理ＭＭＥであって、前記ＭＣＥの少なくとも１つを制御する前記ＭＭＥが提供される。
【０１１２】
様々な実施形態が提供されてもよく、それらは様々な組合せによって単独あるいは併用で使用されてもよい。
【０１１３】
一実施形態において、前記ＭＭＥは：
−  前記ＭＢＳＦＮエリア再構成ごとにＭＣＥに追加または削除される任意のＳＡＩを前記ＭＭＥに通知するＭＣＥ再構成情報を前記ＭＣＥから受信すると、前記ＭＣＥから受信されたＭＣＥ再構成情報におけるＭＣＥに追加される任意のＳＡＩでの任意のＭＢＭＳセッションのＭＢＭＳセッション開始要求および／または前記ＭＣＥから受信されたＭＣＥ再構成情報におけるＭＣＥから削除される任意のＳＡＩでの任意のＭＢＭＳセッションのＭＢＭＳセッション停止要求を、前記ＭＣＥに送信するように構成される。
【０１１４】
一実施形態において、前記ＭＭＥは：
−  前記ＭＣＥから再構成時間を含むＭＣＥ再構成情報を受信するように構成される。
【０１１５】
一実施形態において、前記ＭＭＥは：
−  前記ＭＣＥから受信されるＭＣＥ再構成情報におけるＭＣＥから削除される任意のＳＡＩでの任意のＭＢＭＳセッションに対して、前記再構成時間に設定されるＭＢＭＳデータ停止の時間情報要素を含むＭＢＭＳセッション停止要求を前記ＭＣＥに送信するように構成される。
【０１１６】
一実施形態において、前記ＭＭＥは：
−  前記ＭＣＥから受信されるＭＣＥ再構成情報におけるＭＣＥから削除される任意のＳＡＩでの任意のＭＢＭＳセッションのためのＭ３ＡＰインタフェース用のＭＢＭＳセッション制御資源をローカルで解放するように構成される。
【０１１７】
一実施形態において、前記ＭＭＥは：
−  前記ＭＣＥから受信されるＭＣＥ再構成情報におけるＭＣＥへの任意の追加ＳＡＩでの開始されるよう要求されるべきＭＢＭＳセッションに対して、ＭＣＥ再構成更新時間を示すＭＢＭＳセッション開始要求を前記ＭＣＥに送信するように構成される。
【０１１８】
別の態様において、ＭＢＳＦＮエリアがマルチセル／マルチキャスト協調エンティティＭＣＥの集合によって制御される移動ネットワークにおけるＭＢＳＦＮエリア再構成のための方法であって、そのようなＭＣＥまたはＭＭＥによって行われるステップの少なくとも１つを備える前記方法が提供される。
【０１１９】
当業者は、様々な上述の方法のステップがプログラムされるコンピュータによって行われることができると容易に認識するだろう。本明細書において、いくつかの実施形態はプログラム記憶装置、たとえばデジタルデータ記憶媒体を包含するものとも意図され、それらは機械またはコンピュータ可読であり、かつ命令の機械実行可能またはコンピュータ実行可能プログラムをエンコードし、前記命令は上述の方法のステップのいくつかまたはすべてを行う。プログラム記憶装置は、たとえばデジタルメモリ、磁気ディスクおよび磁気テープなどの磁気記録媒体、ハードドライブ、または光学的に読み込み可能なデジタルデータ記憶媒体でもよい。実施形態も前記上述の方法の前記ステップを行うようにプログラムされるコンピュータを包含するものと意図される。
【図１】
2018157570.tif 000003
【図２】
2018157570.tif 000004
【図３】
2018157570.tif 000005
【図４】
2018157570.tif 000006
【図５】
2018157570.tif 000007
【図６】
2018157570.tif 000008
【図７】
2018157570.tif 000009
【図８】
2018157570.tif 000010
【図９】
2018157570.tif 000011
【図１０】
2018157570.tif 000012
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
ＭＢＳＦＮエリアがマルチセル／マルチキャスト協調エンティティＭＣＥの集合によって制御される移動ネットワークのＭＣＥであって、移動管理エンティティＭＭＥによって制御され、
−  ＭＢＳＦＮエリア再構成を行うときに、前記ＭＭＥにＭＣＥ再構成更新情報を送信し、前記ＭＭＥにＭＣＥに追加される任意のＳＡＩまたはＭＣＥから削除される任意のＳＡＩを通知し、
−  前記ＭＢＳＦＮエリア再構成ごとにＭＣＥに追加される任意のＳＡＩでの任意のＭＢＭＳセッションのＭＢＭＳセッション開始要求および／または前記ＭＢＳＦＮエリア再構成ごとにＭＣＥから削除される任意のＳＡＩでの任意のＭＢＭＳセッションのＭＢＭＳセッション停止要求を、前記ＭＭＥから受信するように構成された、ＭＣＥ。
【請求項２】
−  前記ＭＣＥに構成されかつ前記ＭＢＳＦＮエリアの再構成が前記ＭＣＥで同期して適用されるべき再構成時間が発生すると、前記ＭＢＳＦＮエリアにおけるＭＢＭＳセッションをリスケジューリングし、ＭＢＳＦＮエリアのために変更される無線パラメータを考慮し、前記ＭＢＳＦＮエリア再構成ごとに追加される任意のＳＡＩでの開始されるべきＭＢＭＳセッションを開始し、かつ前記ＭＢＳＦＮエリア再構成ごとに削除される任意のＳＡＩでの停止されるべきＭＢＭＳセッションを停止するように構成された、請求項１に記載のＭＣＥ。
【請求項３】
−  前記ＭＣＥに構成されかつ前記ＭＢＳＦＮエリアの再構成が前記ＭＣＥで同期して適用されるべき再構成時間の発生前に、前記ＭＢＳＦＮエリア再構成ごとにＭＣＥに追加される任意のＳＡＩを含めて前記ＭＭＥにＭＣＥ再構成更新情報を送信するように構成された、請求項１または２に記載のＭＣＥ。
【請求項４】
−  前記ＭＣＥに構成されかつ前記ＭＢＳＦＮエリアの再構成が前記ＭＣＥで同期して適用されるべき再構成時間まで、前記ＭＢＳＦＮエリア再構成ごとにＭＣＥに追加される任意のＳＡＩでのＭＢＭＳセッション開始要求を介してＭＭＥによって開始されるように要求される任意のＭＢＭＳセッションの開始を延期するように構成された、請求項１から３のいずれか一項に記載のＭＣＥ。
【請求項５】
−  前記ＭＢＳＦＮエリア再構成ごとにＭＣＥに追加される任意のＳＡＩでのＭＢＭＳセッション開始要求を介してＭＭＥによって開始されるように要求される任意のＭＢＭＳセッションのためのＭＣＣＨ更新時間を決定するために、前記ＭＣＥに構成されかつ前記ＭＢＳＦＮエリアの再構成が前記ＭＣＥで同期して適用されるべき再構成時間を使用するように構成された、請求項１から４のいずれか一項に記載のＭＣＥ。
【請求項６】
−  前記ＭＣＥに構成されかつ前記ＭＢＳＦＮエリアの再構成が前記ＭＣＥで同期して適用されるべき再構成時間の発生後に、前記ＭＭＥにＭＣＥ再構成更新情報を送信して、前記ＭＭＥに前記ＭＢＳＦＮエリア再構成ごとに前記ＭＣＥがＭＣＥでサポートすることを停止した任意のＳＡＩを通知するように構成された、請求項１から５のいずれか一項に記載のＭＣＥ。
【請求項７】
−  ＭＭＥから対応するＭＢＭＳセッション停止要求を受信するまで、前記ＭＢＳＦＮエリア再構成ごとに削除される任意のＳＡＩでの任意のＭＢＭＳセッションのためのＭ３ＡＰインタフェース用のＭＢＭＳセッション制御資源を維持するように構成された、請求項１から６のいずれか一項に記載のＭＣＥ。
【請求項８】
−  前記ＭＢＳＦＮエリア再構成ごとに削除される任意のＳＡＩでの任意のＭＢＭＳセッションのためのＭ３ＡＰインタフェース用のＭＢＭＳセッション制御資源を維持し、かつ前記ＭＢＳＦＮエリア再構成ごとに削除される任意のＳＡＩでの任意のＭＢＭＳセッションが前記ＭＣＥによって制御される任意の他のＭＢＳＦＮエリアに関与されていないかどうかを確認し、肯定の場合は対応するＭＢＭＳセッション制御資源をローカルで解放するように構成された、請求項１から６のいずれか一項に記載のＭＣＥ。
【請求項９】
−  前記ＭＣＥに構成されかつ前記ＭＢＳＦＮエリアの再構成が前記ＭＣＥで同期して適用されるべき再構成時間の発生前に、前記ＭＭＥにＭＣＥ再構成更新情報を送信して、前記ＭＭＥに前記ＭＢＳＦＮエリア再構成ごとにＭＣＥに追加またはＭＣＥから削除される任意のＳＡＩを前記再構成時間とともに通知するように構成された、請求項１または２に記載のＭＣＥ。
【請求項１０】
−  前記ＭＢＳＦＮエリア再構成ごとにＭＣＥに追加される任意のＳＡＩでのＭＭＥによって開始されるように要求されるＭＢＭＳセッションのためのＭＣＣＨ更新時間を決定するために、ＭＭＥから受信されるＭＢＭＳセッション開始要求に示されるＭＣＥ再構成更新時間を使用するように構成された、請求項９に記載のＭＣＥ。
【請求項１１】
ＭＢＳＦＮエリアがマルチセル／マルチキャスト協調エンティティＭＣＥの集合によって制御される移動ネットワークの移動管理ＭＭＥであって、前記ＭＣＥの少なくとも１つを制御し、
−  前記ＭＢＳＦＮエリア再構成ごとにＭＣＥに追加または削除される任意のＳＡＩを前記ＭＭＥに通知するＭＣＥ再構成情報を前記ＭＣＥから受信すると、前記ＭＣＥから受信されたＭＣＥ再構成情報におけるＭＣＥに追加される任意のＳＡＩでの任意のＭＢＭＳセッションのＭＢＭＳセッション開始要求および／または前記ＭＣＥから受信されたＭＣＥ再構成情報におけるＭＣＥから削除される任意のＳＡＩでの任意のＭＢＭＳセッションのＭＢＭＳセッション停止要求を、前記ＭＣＥに送信するように構成された、ＭＭＥ。
【請求項１２】
−  前記ＭＣＥから再構成時間を含むＭＣＥ再構成情報を受信するように構成された、請求項１１に記載のＭＭＥ。
【請求項１３】
−  前記ＭＣＥから受信されるＭＣＥ再構成情報におけるＭＣＥから削除される任意のＳＡＩでの任意のＭＢＭＳセッションに対して、前記再構成時間に設定されるＭＢＭＳデータ停止の時間情報要素を含むＭＢＭＳセッション停止要求を前記ＭＣＥに送信するように構成された、請求項１２に記載のＭＭＥ。
【請求項１４】
−  前記ＭＣＥから受信されるＭＣＥ再構成情報におけるＭＣＥから削除される任意のＳＡＩでの任意のＭＢＭＳセッションのためのＭ３ＡＰインタフェース用のＭＢＭＳセッション制御資源をローカルで解放するように構成された、請求項１１に記載のＭＭＥ。
【請求項１５】
−  前記ＭＣＥから受信されるＭＣＥ再構成情報におけるＭＣＥへの任意の追加ＳＡＩでの開始されるよう要求されるべきＭＢＭＳセッションに対して、ＭＣＥ再構成更新時間を示すＭＢＭＳセッション開始要求を前記ＭＣＥに送信するように構成された、請求項１２から１４のいずれか一項に記載のＭＭＥ。
【請求項１６】
ＭＢＳＦＮエリアがマルチセル／マルチキャスト協調エンティティＭＣＥの集合によって制御される移動ネットワークにおけるＭＢＳＦＮエリア再構成のための方法であって、請求項１から１０のいずれか一項に記載のＭＣＥによって行われるステップの少なくとも１つを備える方法。
【請求項１７】
ＭＢＳＦＮエリアがマルチセル／マルチキャスト協調エンティティＭＣＥの集合によって制御される移動ネットワークにおけるＭＢＳＦＮエリア再構成のための方法であって、請求項１１から１５のいずれか一項に記載のＭＭＥによって行われるステップの少なくとも１つを備える方法。
【外国語明細書】
2018157570000001.pdf